(57)【特許請求の範囲】
【請求項１】
ガード期間と有効シンボル期間とによってひとつのシンボルが形成されたマルチキャリア信号であって、かつ有効シンボル期間の一部に含まれた信号がガード期間に複写されたマルチキャリア信号を受信する受信部と、
前記受信部において受信したマルチキャリア信号を有効シンボル期間だけ遅延してから、遅延したマルチキャリア信号と受信したマルチキャリア信号との相関値を計算することによって、受信したマルチキャリア信号における有効シンボル期間を推定する推定部と、
前記推定部において推定した有効シンボル期間と、受信したマルチキャリア信号を復調するために生成した有効シンボル期間との誤差を導出する導出部と、
前記導出部において導出した誤差に応じた周波数によってクロック周波数を制御しながらクロック信号を生成する発振部と、
前記発振部において生成したクロック信号をもとに、受信したマルチキャリア信号を復調するための有効シンボル期間を生成する生成部とを備え、
前記発振部は、所定の期間経過後、前記導出部において導出した誤差がしきい値以上である場合に、絶対値を固定した第１の周波数によってクロック周波数を制御し、前記導出部において導出した誤差がしきい値未満である場合に、前記第１の周波数の絶対値よりも絶対値の小さい第２の周波数によってクロック周波数を制御することを特徴とするシンボル同期装置。
【請求項２】
前記発振部は、第１の周波数によってクロック周波数を制御している場合に、前記導出部において導出した誤差がしきい値未満になれば、第２の周波数によってクロック周波数を制御することを特徴とする請求項１に記載のシンボル同期装置。
【請求項３】
前記発振部は、第２の周波数によってクロック周波数を制御している場合に、前記導出部において導出した誤差がしきい値以上になれば、第１の周波数によってクロック周波数を制御することを特徴とする請求項１または２に記載のシンボル同期装置。
【請求項４】
ガード期間と有効シンボル期間とによってひとつのシンボルが形成されたマルチキャリア信号であって、かつ有効シンボル期間の一部に含まれた信号がガード期間に複写されたマルチキャリア信号を受信する受信部と、
前記受信部において受信したマルチキャリア信号を有効シンボル期間だけ遅延してから、遅延したマルチキャリア信号と受信したマルチキャリア信号との相関値を計算することによって、受信したマルチキャリア信号における有効シンボル期間を推定する推定部と、
前記推定部において推定した有効シンボル期間と、受信したマルチキャリア信号を復調するために生成した有効シンボル期間との誤差を導出する導出部と、
前記導出部において導出した誤差に応じた周波数によってクロック周波数を制御しながらクロック信号を生成する発振部と、
前記発振部において生成したクロック信号をもとに、受信したマルチキャリア信号を復調するための有効シンボル期間を生成する生成部と、
前記生成部において生成した有効シンボル期間をもとに、受信したマルチキャリア信号を復調する復調部とを備え、
前記発振部は、所定の期間経過後、前記導出部において導出した誤差がしきい値以上である場合に、絶対値を固定した第１の周波数によってクロック周波数を制御し、前記導出部において導出した誤差がしきい値未満である場合に、前記第１の周波数の絶対値よりも絶対値の小さい第２の周波数によってクロック周波数を制御することを特徴とする受信装置。
【発明の詳細な説明】
【技術分野】
【０００１】
本発明は、シンボル同期技術に関し、特に受信したマルチキャリア信号におけるシンボルを同期させるシンボル同期装置およびそれを利用した受信装置に関する。
【背景技術】
【０００２】
テレビジョン放送システム等の放送システムにおいて、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式が使用されている場合がある。ＯＦＤＭ変調方式は、マルチキャリア変調方式のひとつであり、複数の互いに直交したサブキャリアのそれぞれに対して、送信すべきデータが割り当てられる。また、ＯＦＤＭ変調方式においてマルチパスの影響を低減するために、送信すべきデータのうちのひとつのシンボル（以下、当該シンボルが割り当てられる期間を「有効シンボル期間」という）に対して、その前段にガード期間が付加される。すなわち、ひとつのシンボルは、有効シンボル期間とガード期間によって構成される。また、有効シンボル期間でのデータの一部が複製されることによって、ガード期間に含まれる信号が形成される。
【０００３】
このようなＯＦＤＭ変調方式における信号（以下、「ＯＦＤＭ信号」という）は、受信装置によって受信される。受信装置では、受信したＯＦＤＭ信号から、シンボルの境界となるタイミング（以下、「シンボルタイミング」という）を検出し、検出したシンボルタイミングを使用しながら、ＯＦＤＭ信号を復調する。また、受信装置は、受信したＯＦＤＭ信号を遅延させ、遅延させたＯＦＤＭ信号と、受信したＯＦＤＭ信号の相関値を計算し、相関値のピークを検出することによって、シンボルタイミングを検出する（例えば、特許文献１参照。）。
【特許文献１】特開平１１−１６３８２４号公報
【発明の開示】
【発明が解決しようとする課題】
【０００４】
一般的に、受信装置においては、内蔵の発振器によって発振されるクロックをカウントすることによって、シンボルタイミングを生成する。また、受信装置では、受信したＯＦＤＭ信号から検出したクロックタイミングと、当該生成したクロックタイミングとが一致するように、発振器によって発振されるクロックの周波数を制御する。受信装置の電源投入時など、生成したクロックタイミングが検出したクロックタイミングと大きく異なっている場合、発振器を制御する際の周波数を大きくすることによって、クロックタイミング同期が早期に確立される。しかしながら、発振器を制御する際の周波数が大きければ、クロックの周波数が一定の値に維持されにくくなるので、クロックタイミングの安定性が低下する。
【０００５】
本発明はこうした状況に鑑みてなされたものであり、その目的は、クロックタイミングを高速に同期しながら、同期したクロックタイミングを安定して維持するシンボル同期技術を提供することにある。
【課題を解決するための手段】
【０００６】
上記課題を解決するために、本発明のある態様のシンボル同期装置は、ガード期間と有効シンボル期間とによってひとつのシンボルが形成されたマルチキャリア信号であって、かつ有効シンボル期間の一部に含まれた信号がガード期間に複写されたマルチキャリア信号を受信する受信部と、受信部において受信したマルチキャリア信号を有効シンボル期間だけ遅延してから、遅延したマルチキャリア信号と受信したマルチキャリア信号との相関値を計算することによって、受信したマルチキャリア信号における有効シンボル期間を推定する推定部と、推定部において推定した有効シンボル期間と、受信したマルチキャリア信号を復調するために生成した有効シンボル期間との誤差を導出する導出部と、導出部において導出した誤差に応じた周波数によってクロック周波数を制御しながらクロック信号を生成する発振部と、発振部において生成したクロック信号をもとに、受信したマルチキャリア信号を復調するための有効シンボル期間を生成する生成部とを備える。発振部は、所定の期間経過後、導出部において導出した誤差がしきい値以上である場合に、絶対値を固定した第１の周波数によってクロック周波数を制御し、導出部において導出した誤差がしきい値未満である場合に、第１の周波数の絶対値よりも絶対値の小さい第２の周波数によってクロック周波数を制御する。
【０００７】
この態様によると、誤差に応じた周波数によってクロック周波数を制御するので、シンボルタイミングを高速に同期でき、かつ所定の期間経過後、絶対値を固定した周波数によってクロック周波数を制御するので、シンボルタイミングを安定して維持できる。
【０００８】
発振部は、第１の周波数によってクロック周波数を制御している場合に、導出部において導出した誤差がしきい値未満になれば、第２の周波数によってクロック周波数を制御してもよい。この場合、誤差が小さくなると、絶対値の小さい周波数によってクロック周波数を制御するので、シンボルタイミングを安定して維持できる。
【０００９】
発振部は、第２の周波数によってクロック周波数を制御している場合に、導出部において導出した誤差がしきい値以上になれば、第１の周波数によってクロック周波数を制御してもよい。この場合、誤差が大きくなると、絶対値の大きい周波数によってクロック周波数を制御するので、シンボルタイミングを高速に維持できる。
【００１０】
本発明の別の態様は、受信装置である。この装置は、ガード期間と有効シンボル期間とによってひとつのシンボルが形成されたマルチキャリア信号であって、かつ有効シンボル期間の一部に含まれた信号がガード期間に複写されたマルチキャリア信号を受信する受信部と、受信部において受信したマルチキャリア信号を有効シンボル期間だけ遅延してから、遅延したマルチキャリア信号と受信したマルチキャリア信号との相関値を計算することによって、受信したマルチキャリア信号における有効シンボル期間を推定する推定部と、推定部において推定した有効シンボル期間と、受信したマルチキャリア信号を復調するために生成した有効シンボル期間との誤差を導出する導出部と、導出部において導出した誤差に応じた周波数によってクロック周波数を制御しながらクロック信号を生成する発振部と、発振部において生成したクロック信号をもとに、受信したマルチキャリア信号を復調するための有効シンボル期間を生成する生成部と、生成部において生成した有効シンボル期間をもとに、受信したマルチキャリア信号を復調する復調部とを備える。発振部は、所定の期間経過後、導出部において導出した誤差がしきい値以上である場合に、絶対値を固定した第１の周波数によってクロック周波数を制御し、導出部において導出した誤差がしきい値未満である場合に、第１の周波数の絶対値よりも絶対値の小さい第２の周波数によってクロック周波数を制御する。
【００１１】
この態様によると、誤差に応じた周波数によってクロック周波数を制御するので、シンボルタイミングを高速に同期でき、かつ所定の期間経過後、絶対値を固定した周波数によってクロック周波数を制御するので、シンボルタイミングを安定して維持できる。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、クロックタイミングを高速に同期しながら、同期したクロックタイミングを安定して維持できる。
【発明を実施するための最良の形態】
【００１４】
本発明を具体的に説明する前に、概要を述べる。本発明の実施例は、ＯＦＤＭ信号を受信する受信装置に関する。当該受信装置によって受信されるＯＦＤＭ信号は、複数のシンボルによって形成されており、シンボルのそれぞれは、ガード期間と有効シンボル期間とによって形成されている。また、受信装置は、発振器によって発振させるクロックの周波数を制御することによって、シンボルタイミングを制御する。このような状況下、シンボルタイミングの同期を高速に確立させ、かつ同期したシンボルタイミングを安定して維持させるために、実施例に係る受信装置は、以下の処理を実行する。
【００１５】
受信装置は、初期の段階において、ＯＦＤＭ信号から検出したシンボルタイミングと、生成したシンボルタイミングとの誤差に応じて、クロックの周波数を制御する。すなわち、誤差が大きければクロックの周波数を大きく変化させ、誤差が小さければクロックの周波数を小さく変化させることによって、受信装置は、シンボルタイミングの同期を高速に確立させる。一方、所定の期間経過後、受信装置は、クロックの周波数を制御する際の周波数の絶対値を所定の値に固定する。その際、所定の値は、ある程度小さい値に規定される。
【００１６】
その結果、誤差が生じていてもクロック周波数の変化は小さくなるので、受信装置は、同期したシンボルタイミングを安定して維持する。なお、受信装置は、所定の期間経過後、誤差の値をしきい値と比較し、誤差がしきい値以上であれば、絶対値が第１の周波数となる値に固定する。一方、受信装置は、誤差がしきい値未満であれば、絶対値が第２の周波数となる値に固定する。ここで、第２の周波数は第１の周波数よりも小さいものとする。その結果、所定の期間が経過した場合であっても、ある程度誤差が大きければ、受信装置は、誤差を高速に減少させる。
【００１７】
図１は、本発明の実施例に係る受信装置１００の構成を示す。受信装置１００は、アンテナ１０、ＲＦ部１２、直交検波部１４、ＡＤ変換部１６、ＦＦＴ（Ｆａｓｔ  Ｆｏｕｒｉｅｒ  Ｔｒａｎｓｆｏｒｍ）部１８、復調部２０、同期部２２、制御部２４を含む。
【００１８】
アンテナ１０は、図示しない送信装置によって送信されたＯＦＤＭ信号を受信する。ここで、ＯＦＤＭ信号では、前述のごとく、ガード期間と有効シンボル期間とによってひとつのシンボルが形成されており、かつ有効シンボル期間の一部に含まれた信号がガード期間に複写されている。ＲＦ部１２は、アンテナ１０において受信したＯＦＤＭ信号の周波数を変換する。すなわち、受信したＯＦＤＭ信号は無線周波数を有しているので、ＲＦ部１２は、無線周波数のＯＦＤＭ信号を中間周波数のＯＦＤＭ信号に変換する。そのため、ＲＦ部１２には、増幅器、発振器、ミキサ、フィルタ等が含まれているが、これらは公知の技術によって構成されればよいので、ここでは、説明を省略する。
【００１９】
直交検波部１４は、中間周波数のＯＦＤＭ信号に対して直交検波を実行し、ベースバンドのＯＦＤＭ信号を生成する。なお、ベースバンド信号は、一般的に、同相成分と直交成分とを有しているので、ふたつの信号線によって示されるべきであるが、ここでは、図面を明瞭にするためにこれをひとつの信号線によって示す。直交検波部１４には、発振器、ミキサ、フィルタ等が含まれているが、ＲＦ部１２と同様に、これらは公知の技術によって構成されればよいので、ここでは、説明を省略する。ＡＤ変換部１６は、直交検波部１４によって変換されたベースバンドのＯＦＤＭ信号に対して、アナログ−デジタル変換を実行し、デジタル信号を出力する。
【００２０】
同期部２２は、ＡＤ変換部１６からのデジタル信号をもとに、シンボル同期を確立させるようにシンボルタイミングを生成する。同期部２２におけるシンボルタイミングの生成の詳細は、後述する。また、同期部２２は、生成したシンボルタイミングを出力する。ここでは、シンボルタイミングは、有効シンボル期間の開始タイミングに相当するものとする。ＦＦＴ部１８は、同期部２２において生成したシンボルタイミングをもとに、受信したＯＦＤＭ信号に対してＦＦＴを実行する。すなわち、ＦＦＴ部１８は、シンボルタイミングから有効シンボル期間にわたって、ＦＦＴウインドウを形成し、当該ＦＦＴウインドウに含まれるＯＦＤＭ信号に対して、ＦＦＴを実行する。復調部２０は、ＦＦＴ部１８によって周波数領域に変換した信号に対して、サブキャリア単位に伝送路特性を推定する。さらに、復調部２０は、推定した伝送路特性をもとに、周波数領域に変換した信号を復調する。ここで、伝送路特性の推定、復調には、公知の技術が使用されればよいので、説明を省略する。制御部２４は、受信装置１００の動作タイミングを制御する。
【００２１】
この構成は、ハードウエア的には、任意のコンピュータのＣＰＵ、メモリ、その他のＬＳＩで実現でき、ソフトウエア的にはメモリにロードされた受信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２２】
図２は、同期部２２の構成を示す。同期部２２は、遅延部３０、乗算部３２、積分部３４、導出部３６、調節部３８、発振器４０、生成部４２を含む。遅延部３０は、図１のＡＤ変換部１６からのＯＦＤＭ信号を有効シンボル期間だけ遅延する。乗算部３２は、遅延部３０によって遅延したＯＦＤＭ信号と、図１のＡＤ変換部１６からのＯＦＤＭ信号とを乗算する。積分部３４は、乗算部３２での乗算結果をガード期間にわたって積算する。その結果、遅延部３０、乗算部３２、積分部３４は、遅延したＯＦＤＭ信号と受信したＯＦＤＭ信号との相関値を計算する。また、積分部３４は、相関値のピークを検出することによって、受信したＯＦＤＭ信号における有効シンボル期間、すなわちシンボルタイミングを推定する。
【００２３】
図３（ａ）−（ｄ）は、積分部３４によって検出されるシンボルタイミングを示す。図３（ａ）は、遅延部３０に入力されるＯＦＤＭ信号を示す。ひとつ目のシンボルが、ガード期間に対応した「第１ガード」と、有効シンボル期間に対応した「第１有効シンボル」とによって構成され、ふたつ目のシンボルが「第２ガード」と「第２有効シンボル」によって構成される。また、第１有効シンボルの後部が、第１ガードに複製されている。図３（ｂ）は、遅延部３０によって遅延されたＯＦＤＭ信号を示す。
【００２４】
前述のごとく、図３（ｂ）は、図３（ａ）の信号が有効シンボル期間だけ遅延された信号に相当する。図３（ｃ）は、積分部３４によって計算された相関値を示す。図示のごとく、図３（ｂ）の第１有効シンボル期間および第２有効シンボル期間の開始タイミングにおいて、相関値が最大になっている。図３（ｄ）は、積分部３４によって推定されるシンボルタイミングを示す。図示のごとく、図３（ｃ）での相関値のピークに一致するように、シンボルタイミングが検出されている。
【００２５】
図２に戻る。発振器４０は、所定のクロック周波数を有したクロック信号を発振する。ここで、クロック周波数は、以下のように規定される。図１のＦＦＴ部１８においてＮサンプルのＦＦＴが実行される場合、有効シンボル期間は、Ｎサンプルによって規定される。また、同一のサンプル期間をもとに、ガード期間がＭサンプルによって規定される場合、クロック周波数は、ひとつのシンボルあたり（Ｎ＋Ｍ）サンプルが含まれるような周波数に相当する。
【００２６】
生成部４２は、発振器４０において生成したクロック信号をもとに、受信したＯＦＤＭ信号を復調するための有効シンボル期間、すなわちクロックタイミングを生成する。生成部４２は、発振器４０からのクロック信号に対して、カウントを実行する。カウントは、「０」から「Ｎ＋Ｍ−１」の間で実行し、「Ｎ＋Ｍ−１」になれば、再び「０」からカウントを実行する。また、生成部４２は、カウントが「０」のときに、シンボルタイミングを示した信号を出力する。
【００２７】
図４（ａ）−（ｂ）は、生成部４２によって生成されるシンボルタイミングを示す。図４（ａ）は、クロック信号に対してカウントが実行された結果に相当する。図示のごとく、「０」から「Ｎ＋Ｍ−１」までのカウントが繰り返し実行されている。図４（ｂ）は、シンボルタイミングを示した信号、すなわち生成部４２によって生成されたシンボルタイミングを示す。図示のごとく、図４（ａ）のカウントが「０」のときに、シンボルタイミングが生成される。
【００２８】
図２に戻る。導出部３６は、積分部３４において推定したシンボルタイミングと、生成部４２において生成したシンボルタイミングとの誤差を導出する。図５（ａ）−（ｃ）は、導出部３６によって導出されるシンボルタイミングの誤差を示す。図５（ａ）は、積分部３４において推定したシンボルタイミングを示し、図３（ｄ）と同様である。図５（ｂ）は、生成部４２において生成したシンボルタイミングであり、かつ積分部３４において推定したシンボルタイミングよりもシンボルタイミングの周期が短い場合である。一方、図５（ｃ）も生成部４２において生成したシンボルタイミングであるが、積分部３４において推定したシンボルタイミングよりもシンボルタイミングの周期が長い場合である。導出部３６は、図５（ａ）と図５（ｂ）との間の誤差、あるいは図５（ａ）と図５（ｃ）との間の誤差を導出する。
【００２９】
図２に戻る。調節部３８は、初期の期間にわたって、導出部３６において導出した誤差に応じた周波数によって、発振器４０でのクロック周波数を制御する。すなわち、調節部３８は、図５（ｂ）のごとく、生成部４２において生成したシンボルタイミングの周期が短い場合に、発振器４０でのクロック周波数を低くするように、発振器４０に対して制御を実行する。ここで、制御する際の周波数は、誤差の大きさに応じて調節される。例えば、誤差が大きい場合には、制御する際の周波数の絶対値が大きくされ、誤差が小さい場合には、制御する際の周波数の絶対値が小さくされる。一方、調節部３８は、図５（ｃ）のごとく、生成部４２において生成したシンボルタイミングの周期が長い場合に、発振器４０でのクロック周波数を高くするように、発振器４０に対して制御を実行する。なお、調節部３８によって制御される周波数の初期値に対して、温度等の影響を小さくするために、図示しない外部基準発振器から基準信号の値が使用されてもよい。
【００３０】
さらに、調節部３８は、所定の期間経過後、すなわち初期の期間の終了後、導出部３６において導出した誤差としきい値とを比較する。また、調節部３８は、誤差がしきい値以上である場合に、誤差が小さくなるように、絶対値を固定した第１の周波数によってクロック周波数を制御する。すなわち、この場合に、調節部３８は、「−ｆ１」、「０」、「＋ｆ１」のいずれかによってクロック周波数を制御する。例えば、誤差の絶対値が小さい場合に、クロック周波数の制御のために周波数「０」が使用される。また、それ以外の場合に、クロック周波数の制御のために周波数「−ｆ１」あるいは「＋ｆ１」が使用される。
【００３１】
一方、調節部３８は、誤差がしきい値未満である場合に、第１の周波数の絶対値よりも絶対値の小さい第２の周波数によってクロック周波数を制御する。すなわち、この場合に、調節部３８は、「−ｆ２」、「０」、「＋ｆ２」のいずれかによってクロック周波数を制御する。「−ｆ２」、「０」、「＋ｆ２」は、「−ｆ１」、「０」、「＋ｆ１」と同様に選択される。
【００３２】
調節部３８は、周波数の絶対値を固定した後、以下のように動作する。すなわち、調節部３８は、第１の周波数によってクロック周波数を制御している場合に、導出部３６において導出した誤差がしきい値未満になれば、第２の周波数によってクロック周波数を制御する。この場合、タイミング同期が収束している場合に相当するので、クロック周波数を制御する際の周波数を小さくすることによって、シンボルタイミングが安定して維持される。また、調節部３８は、第２の周波数によってクロック周波数を制御している場合に、導出部３６において導出した誤差がしきい値以上になれば、第１の周波数によってクロック周波数を制御する。この場合、タイミング同期が悪化した場合に相当するので、クロック周波数を制御する際の周波数を大きくすることによって、シンボルタイミングが改善される。なお、初期の期間の開始および終了は、図１の制御部２４によって通知される。
【００３３】
以上の構成による受信装置１００の動作を説明する。図６は、同期部２２におけるシンボルタイミングの同期手順を示すフローチャートである。同期部２２は、ＯＦＤＭ信号の受信を開始する（Ｓ１０）。調節部３８は、導出部３６によって導出された誤差に応じて、発振器４０でのクロック周波数を調節する（Ｓ１２）。調節部３８は、所定の期間を経過したことを認識する（Ｓ１４）。導出部３６によって導出された誤差がしきい値以上であれば（Ｓ１６のＹ）、調節部３８は、クロック周波数を制御する際の周波数を「±ｆ１」に固定する（Ｓ１８）。一方、導出部３６によって導出された誤差がしきい値以上でなければ（Ｓ１６のＮ）、調節部３８は、クロック周波数を制御する際の周波数を「±ｆ２」に固定する（Ｓ２０）。
【００３４】
図７は、同期部２２におけるシンボルタイミングの維持手順を示すフローチャートである。すなわち、図７は、図６に続く処理のフローチャートに相当する。現在の周波数であって、かつクロック周波数を制御する際の周波数が「±ｆ１」である場合（Ｓ５０のＹ）、導出部３６によって導出された誤差がしきい値未満になれば（Ｓ５２のＹ）、調節部３８は、周波数を「±ｆ２」に切りかえる（Ｓ５４）。一方、導出部３６によって導出された誤差がしきい値未満にならなければ（Ｓ５２のＮ）、調節部３８は、現在の周波数を維持する。
【００３５】
現在の周波数であって、かつクロック周波数を制御する際の周波数が「±ｆ１」でない場合（Ｓ５０のＮ）、すなわち「±ｆ２」である場合、導出部３６によって導出された誤差がしきい値以上になれば（Ｓ５６のＹ）、調節部３８は、周波数を「±ｆ１」に切りかえる（Ｓ５８）。一方、導出部３６によって導出された誤差がしきい値以上にならなければ（Ｓ５６のＮ）、調節部３８は、現在の周波数を維持する。
【００３６】
本発明の実施例によれば、初期の段階において、誤差に応じた周波数によってクロック周波数を制御するので、シンボルタイミングを高速に同期できる。また、所定の期間経過後、絶対値を固定した周波数によってクロック周波数を制御するので、シンボルタイミングを安定して維持できる。また、周波数を固定する際に、誤差に応じて値を変更するので、誤差を小さくしながら、シンボルタイミングを安定して維持できる。また、周波数を固定する際に、誤差がしきい値以上であれば、誤差がしきい値未満である場合よりも周波数を大きい値にするので、シンボルタイミングを高速に同期できる。
【００３７】
また、周波数を固定する際に、誤差がしきい値未満であれば、誤差がしきい値以上である場合よりも周波数を小さい値にするので、シンボルタイミングを安定して維持できる。また、周波数を固定する際の値が２種類であるので、処理を容易に実行できる。また、制御の切替は、所定の期間経過をトリガーとしてなされるので、処理を容易に実行できる。また、周波数を固定した後であっても、誤差が小さくなると、絶対値の小さい周波数によってクロック周波数を制御するので、シンボルタイミングを安定して維持できる。また、周波数を固定した後であっても、誤差が大きくなると、絶対値の大きい周波数によってクロック周波数を制御するので、シンボルタイミングを高速に維持できる。
【００３８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００３９】
本発明の実施例において、調節部３８は、クロック周波数を制御するための周波数として、第１の周波数「±ｆ１」および第２の周波数「±ｆ２」のいずれかを選択している。しかしながらこれに限らず例えば、調節部３８は、３以上の周波数のうちのいずれかを選択してもよい。また、調節部３８は、誤差の大きさに応じて周波数の大きさを変更してもよい。さらに、調節部３８は、さらに別のしきい値を設け、誤差が別のしきい値を超えた場合に、周波数を小さい値に変更し、かつ制御間隔を長くしてもよい。これは、制御が収束しない場合に有効である。当該処理は、図７のフローチャートにおいて、ステップ５２のＮの次に設けられる。本変形例によれば、詳細な制御を実行できる。
【００４０】
本発明の実施例において、調節部３８は、所定の期間経過後に、誤差としきい値を比較している。しかしながらこれに限らず例えば、調節部３８は、誤差の大きさに応じて、誤差としきい値を比較すべき間隔を調節してもよい。すなわち、誤差が大きくなれば、比較すべき間隔を短くし、誤差が小さくなれば、比較すべき間隔を長くしてもよい。本変形例によれば、詳細な制御を実行できる。
【図面の簡単な説明】
【００４１】
【図１】本発明の実施例に係る受信装置の構成を示す図である。
【図２】図１の同期部の構成を示す図である。
【図３】図３（ａ）−（ｄ）は、図２の積分部によって検出されるシンボルタイミングを示す図である。
【図４】図４（ａ）−（ｂ）は、図２の生成部によって生成されるシンボルタイミングを示す図である。
【図５】図５（ａ）−（ｃ）は、図２の導出部によって導出されるシンボルタイミングの誤差を示す図である。
【図６】図２の同期部におけるシンボルタイミングの同期手順を示すフローチャートである。
【図７】図２の同期部におけるシンボルタイミングの維持手順を示すフローチャートである。
【符号の説明】
【００４２】
１０  アンテナ、  １２  ＲＦ部、  １４  直交検波部、  １６  ＡＤ変換部、  １８  ＦＦＴ部、  ２０  復調部、  ２２  同期部、  ２４  制御部、  ３０  遅延部、  ３２  乗算部、  ３４  積分部、  ３６  導出部、  ３８  調節部、  ４０  発振器、  ４２  生成部、  １００  受信装置。
【図１】
0004675245.tif 000002
【図２】
0004675245.tif 000003
【図３】
0004675245.tif 000004
【図４】
0004675245.tif 000005
【図５】
0004675245.tif 000006
【図６】
0004675245.tif 000007
【図７】
0004675245.tif 000008